(57)【要約】【課題】容器に注がれた非発泡性飲料、例えばアイスコーヒーの上に、簡単な構成より、一定量の泡を安定して発生させることができる飲料用ディスペンサを提供する。【解決手段】飲料用ディスペンサ２は、加圧された非発泡性飲料が供給される供給路に接続され、内部に供給された非発泡性飲料が流れる流路１４が形成されて先端部に吐出孔１５が形成されたノズル１１と、供給路から流路１４内への非発泡性飲料の供給を許容するか否かを切換える切換部１２と、流路１４内に設けられ、非発泡性飲料が通過可能な複数の小穴１６が形成されたディスク１７と、を有する。【選択図】図２
2018111499.tif 000002
【特許請求の範囲】
【請求項１】
加圧された非発泡性飲料が供給される供給路に接続され、内部に供給された前記非発泡性飲料が流れる流路が形成されて先端部に吐出孔が形成されたノズルと、
前記供給路から前記流路内への非発泡性飲料の供給を許容するか否かを切換える切換部と、
前記流路内に設けられ、前記非発泡性飲料が通過可能な複数の小穴が形成されたディスクと、
を有することを特徴とする飲料用ディスペンサ。
【請求項２】
前記小穴の内径は、０．２〜０．５ｍｍであることを特徴とする請求項１記載の飲料用ディスペンサ。
【請求項３】
前記飲料用ディスペンサ内を流れる非発泡性飲料の流れ方向に沿った前記ディスクより上流側に位置して前記非発泡性飲料内の異物を補足するフィルタが設けられていることを特徴とする請求項１項又は２項記載の飲料用ディスペンサ。
【請求項４】
前記フィルタは、前記飲料用ディスペンサと前記供給路との接続箇所に設けられていることを特徴とする請求項３記載の飲料用ディスペンサ。
【請求項５】
非発泡性飲料が貯留される飲料貯留部と、
前記飲料貯留部に貯留された飲料を加圧する加圧用ガスが貯留されるガス貯留部と、
前記飲料貯留部に貯留されて加圧された非発泡性飲料が供給される請求項１ないし請求項４のいずれか一項に記載の飲料用ディスペンサと、
を有することを特徴とする飲料サーバー装置。
【発明の詳細な説明】
【技術分野】
【０００１】
本発明は、コーヒーやお茶等の非発泡性飲料をグラスやコップ等の容器に注いだ場合、注がれた液状の非発泡性飲料の上に泡を発生させることができる飲料用ディスペンサ及びその飲料用ディスペンサを備えた飲料サーバー装置に関する。
【背景技術】
【０００２】
従来、貯留タンク内に貯留された発泡性飲料であるビールをグラスやジョッキ等の容器に注いだ場合、注がれた液状のビールの上に泡を発生させる飲料サーバー装置として、下記特許文献１に記載されたものが知られている。
【０００３】
また、非発泡性飲料であるコーヒーを容器に注いだ場合、注がれた液状のコーヒーの上に泡を発生させる飲料サーバー装置として、下記特許文献２に記載されたものが知られている。
【０００４】
これらの特許文献１、２に記載されている飲料サーバー装置は、ビールやコーヒー等の飲料を窒素ガス等の加圧用ガスで加圧した状態で貯留する貯留部と、貯留部内の飲料を容器に注ぐとともに注がれた飲料の上に泡を発生させる飲料用ディスペンサとを有している。飲料用ディスペンサは、貯留部から供給される飲料が分岐して流れる第１流路、第２流路を有し、さらに、飲料の流れを第１流路側又は第２流路側に切換える切換部を有している。
【０００５】
第１流路は、流路内径が急激に変化するところはなく、貯留部から供給されて第１流路を流れる飲料は、液状のまま容器内に注がれる。一方、第２流路は途中に流路内径が急激に変化する箇所があり、その変化する箇所で飲料が減圧され、減圧された飲料に含まれている加圧用ガスが急激に気化することにより飲料が発泡し、泡が発生する。
【０００６】
容器に飲料を注ぐとともに注いだ飲料に泡を発生させる場合には、貯留部内の飲料が第１流路を流れるように切換部を切換え、飲料を液状のまま容器内に注ぐ。ついで、貯留部内の飲料が第２流路を流れるように切換部を切換え、飲料が第２流路を流れる際にその飲料を発泡させて泡状態とし、その泡を容器内の飲料の上部に載せる。
【先行技術文献】
【特許文献】
【０００７】
【特許文献１】特開２０１３−１３３１６０号公報
【特許文献２】特開２０１６−０５９３７２号公報
【発明の概要】
【発明が解決しようとする課題】
【０００８】
しかしながら、特許文献１、２に記載されている飲料用ディスペンサ装置は、貯留部に貯留されている飲料が流れる流路として二つに分岐された第１流路と第２流路とを有し、さらに、飲料が流れる流路を第１流路又は第２流路に切換える切換部を必要としている。さらに、第２流路には流路内径を急激に変化させ、流れる飲料に泡を発生させる箇所を設ける必要がある。このため、この飲料用ディスペンサの構造が複雑になっている。
【０００９】
また、容器内の飲料の上部に適量の泡を発生させるためには、切換部を切換えるタイミングに関して熟練を必要とし、切換部の切換タイミングが早い場合には泡が多くなり、切換部の切換タイミングが遅い場合には泡が少なくなり、発生する泡の量を一定に維持することが難しいという問題がある。
【００１０】
本発明の目的は、容器に注がれた非発泡性飲料、例えばアイスコーヒーの上に泡を発生させることができ、しかも、簡単な構成により泡を発生させることができ、かつ、一定量の泡を安定して発生させることができる飲料用ディスペンサ及びこの飲料用ディスペンサ装置を用いた飲料サーバー装置を提供することを目的とする。
【課題を解決するための手段】
【００１１】
本発明に係る飲料用ディスペンサは、加圧された非発泡性飲料が供給される供給路に接続され、内部に供給された前記非発泡性飲料が流れる流路が形成されて先端部に吐出孔が形成されたノズルと、前記供給路から前記流路への非発泡性飲料の供給を許容するか否かを切換える切換部と、前記流路内に設けられ、前記非発泡性飲料が通過可能な複数の小穴が形成されたディスクと、を有する。
【００１２】
また、前述の飲料用ディスペンサにおいて、前記小穴の内径は、０．２〜０．５ｍｍであることが望ましい。
【００１３】
また、前述の飲料用ディスペンサにおいて、この飲料用ディスペンサ内を流れる非発泡性飲料の流れ方向に沿った前記ディスクより上流側に位置して前記非発泡性飲料内の異物を補足するフィルタが設けられていることが望ましい。
【００１４】
また、前述の飲料用ディスペンサにおいて、前記フィルタは、前記飲料用ディスペンサと前記供給路との接続箇所に設けられていることが望ましい。
【００１５】
本発明に係る飲料サーバー装置は、非発泡性飲料が貯留される飲料貯留部と、前記飲料貯留部に貯留された飲料を加圧する加圧用ガスが貯留されるガス貯留部と、前記飲料貯留部に貯留されて加圧された非発泡性飲料が供給される上述の飲料用ディスペンサと、を有する。
【発明の効果】
【００１６】
本発明に係る飲料用ディスペンサによれば、この飲料用ディスペンサを加圧された非発泡性飲料が供給される供給路に接続し、供給路からノズルの流路に非発泡性飲料が流れるように切換部を切換えると、流路内に流入した非発泡性飲料はディスクの小穴を通過してノズルの吐出孔から吐出される。そして、ディスクの小穴を通過した直後の非発泡性飲料は減圧され、この減圧により非発泡性飲料に含まれている加圧用ガスが急激に気化して非発泡性飲料が発泡し、さらに、小穴を通過することにより流速がアップした非発泡性飲料は吐出孔から吐出される際に周囲の空気を巻き込み、この空気の巻き込みにより発泡が助長され、吐出孔から吐出されて容器内に注がれた液状の非発泡性飲料の上に泡が発生する。しかも、この泡の発生量に関しては、予め設定してある非発泡性飲料の圧力値により決定され、ユーザーが切換部を切換えるタイミングにより変化するものではないので、常に一定量の泡を安定して発生させることができる。
【００１７】
また、小穴の内径を０．２〜０．５ｍｍとすることにより、泡を良好に発生させることができる。
【００１８】
また、飲料用ディスペンサ内を流れる非発泡性飲料の流れ方向に沿ったディスクより上流側にフィルタを設けることにより、このフィルタにより非発泡性飲料内の異物を補足することができ、非発泡性飲料内の異物によるディスクの小穴の目詰まりを防止することができる。
【００１９】
また、前記フィルタは、前記飲料用ディスペンサと前記供給路との接続箇所に設けられていることにより、飲料用ディスペンサを供給路から取外すことによりフィルタを容易に取外すことができ、異物を補足したフィルタが目詰まり状態となって非発泡性飲料の流れが悪くなった場合にはフィルタの洗浄や交換を容易に行うことができる。
【００２０】
本発明に係る飲料サーバー装置によれば、ノズルの吐出口から非発泡性飲料を吐出させて容器内に注いだ場合、その非発泡性飲料の上に一定量の泡を安定して発生させることができる。
【図面の簡単な説明】
【００２１】
【図１】コーヒーサーバー装置の全体構成を示す概略図である。
【図２】切換部が閉止位置に操作されたコーヒー用ディスペンサを示す断面正面図である。
【図３】切換部が開放位置に操作されたコーヒー用ディスペンサを示す断面正面図である。
【発明を実施するための形態】
【００２２】
本発明の一実施形態を図面に基づいて説明する。図１は、飲料サーバー装置であるコーヒーサーバー装置１の全体構成を示す概略図である。このコーヒーサーバー装置１は、飲料用ディスペンサであるコーヒー用ディスペンサ２と、飲料貯留部であるコーヒー貯留部３と、ガス貯留部４と、冷却装置５とを備えている。
【００２３】
コーヒー貯留部３には、非発泡性飲料であるコーヒーＣが貯留されている。このコーヒーＣは、供給パイプ６を通って冷却装置５に導かれる。
【００２４】
ガス貯留部４には、加圧用ガスである窒素ガスが貯留されている。この窒素ガスはガス供給パイプ７を介してコーヒー貯留部３に供給され、供給された窒素ガスによりコーヒー貯留部３内のコーヒーＣが加圧される。尚、ガス貯留部４には圧力調整部８が設けられ、コーヒーＣを加圧する場合の圧力は０．２〜０．５ＭＰａの範囲で調整されている。
【００２５】
冷却装置５内には、コーヒー貯留部３から導かれたコーヒーＣが流れる供給路である冷却パイプ９が配管されている。冷却装置５内の冷却パイプ９の周囲は、冷却水又は冷却氷で満たされ、コーヒーＣは冷却パイプ９内を通過するうちに徐々に冷やされるようになっている。
【００２６】
コーヒー用ディスペンサ２は、図２又は図３に示すように、ディスペンサ本体１０と、ディスペンサ本体１０に着脱可能に接続されたノズル１１と、ディスペンサ本体１０に設けられた切換部１２とを有している。切換部１２は、図２に示す位置（コーヒーＣがコーヒー用ディスペンサ２内を流れることを禁止する閉止位置）と、図３に示す位置（コーヒーＣがコーヒー用ディスペンサ２内を流れることを許容する開放位置）とのいずれかに切換可能に設けられている。
【００２７】
ディスペンサ本体１０は、円筒状に形成された中空の部材であり、このディスペンサ本体１０には、冷却装置５の冷却パイプ９に接続される第１接続部１３と、ノズル１１が接続される第２接続部１３ａとが設けられている。
【００２８】
ノズル１１の内部には流路１４が形成され、ノズル１１の先端部には吐出孔１５が形成されている。そして、冷却パイプ９内を通ってディスペンサ本体１０の接続部１３に供給された冷やされたコーヒーＣは、切換部１２が図３に示す開放位置に操作されている場合、ディスペンサ本体１０の空間部１０ａとノズル１１の流路１４とを流れ、吐出孔１５から吐出されるようになっている。
【００２９】
ノズル１１の流路１４内には、コーヒーＣが通過可能な複数の小穴１６が形成されたディスク１７と、このディスク１７を押さえるＯリング１８とが着脱可能に設けられている。これらのディスク１７とＯリング１８とは、ノズル１１における第２接続部１３ａへの接続側に設けられており、ノズル１１を第２接続部１３ａから取外すことにより着脱できるようになっている。
【００３０】
ディスク１７は、ポリプロピレン製で厚みが０．９ｍｍに形成されている。小穴１６は、直径が０．３ｍｍで、１３個形成されている。なお、ディスク１７の材質に関しては、ポリプロピレン以外の樹脂や金属であってもよい。また、小穴１６の直径に関しては０．３ｍｍに限定される必要はなく、０．２〜０．５ｍｍの範囲でもよい。また、小穴１６の個数に関しては１３個に限定される必要はなく、例えば、８個や２４個等の他の個数であってもよい。
【００３１】
切換部１２は、回動操作可能なレバー部１２ａと、レバー部１２ａに連結されて上下方向に移動可能な弁体１２ｂとを有している。レバー部１２ａにおけるディスペンサ本体１０の上面に対向する部分にはカム体１２ｃが設けられ、レバー部１２ａの回動操作に伴ってカム体１２ｂとディスペンサ本体１０の上面との当接箇所が変化することにより弁体１２ｂが上下移動するようになっている。切換部１２が図２に示す閉止位置に切換えられている場合、弁体１２ｂが下方に移動し、コーヒーＣがディスペンサ本体１０の空間部１０ａ内を流れることを弁体１２ｂが阻止する。一方、切換部１２が図３に示す開放位置に切替えられている場合、弁体１２ｂが上方に移動し、コーヒーＣがディスペンサ本体１０の空間部１０ａを流れることを許容する。
【００３２】
コーヒー用ディスペンサ２内を流れるコーヒーＣの流れ方向に沿ったディスク１７より上流側の位置であって、第１接続部１３における冷却パイプ９に接続される箇所には、コーヒーＣ内の異物を補足するフィルタ１９とこのフィルタ１９を押さえるＯリング２０とが着脱可能に取付けられている。これらのフィルタ１９とＯリング２０とは、コーヒー用ディスペンサ２を冷却パイプ９側から取外すことにより、着脱できるようになっている。
【００３３】
このような構成において、このコーヒーサーバー装置１では、コーヒー貯留部３に貯留されたコーヒーＣがガス貯留部４から供給される窒素ガスにより加圧され、加圧されたコーヒーＣが供給パイプ６を通って冷却装置５に導かれる。冷却装置５に導かれたコーヒーＣは冷却パイプ９内を流れ、冷却パイプ９内を流れるあいだに冷やされる。そして、冷やされたコーヒーＣは、切換部１２が図３に示すように開放位置に切換えられて弁体１２ｂが上方へ移動している場合に、矢印で示すようにコーヒー用ディスペンサ２内を流れて吐出孔１５から吐出される。
【００３４】
そして、ノズル１１の流路１４内を流れるコーヒーＣは、ディスク１７の小穴１６を通過した直後に減圧され、減圧されることによりコーヒーＣに含まれている窒素ガスが急激に気化してコーヒーＣが発泡する。さらに、小穴１６を通過することにより流速がアップしたコーヒーＣは吐出孔１５から吐出される際に周囲の空気を巻き込み、この空気の巻き込みにより発泡が助長され、吐出孔１５から吐出されてグラスやカップ等の容器内に注がれた液状のコーヒーＣの上に泡が発生する。そして、空気を巻き込んだこの泡は、きめが細かく口当たりがまろやかな泡となる。しかも、この泡の発生量に関しては、予め設定してあるガス貯留部４から供給される窒素ガスの圧力値により決定されるものであり、従来例のようにユーザーが泡を発生するタイミングを切換えることにより決定されるものではないので、常に一定量の泡を安定して発生させることができる。
【００３５】
また、ディスク１７に複数の小穴１６を形成するとともにこれらの小穴１６の内径を０．２〜０．５ｍｍとすることにより、泡を良好に発生させることができる。
【００３６】
また、コーヒー用ディスペンサ２内を流れるコーヒーＣの流れ方向に沿ったディスク１７より上流側にフィルタ１９を設けることにより、このフィルタ１９によりコーヒーＣ内の異物を補足することができ、コーヒーＣ内の異物によるディスク１７の小穴１６の目詰まりを防止することができる。
【００３７】
さらに、フィルタ１９とＯリング２０とは、第１接続部１３における冷却パイプ９との接続箇所に着脱可能に取付けられているため、コーヒー用ディスペンサ２を冷却パイプ９側から取外すことによりフィルタ１９とＯリング２０とをコーヒー用ディスペンサ２から容易に取外すことができ、フィルタ１９の洗浄や交換を容易に行うことができる。
【００３８】
なお、本実施の形態では、本発明を適用した非発泡性飲料としてコーヒーＣを例に挙げて説明したが、本発明は非発泡性飲料である各種の飲料、例えば、お茶類にも適用できるものである。
【符号の説明】
【００３９】
１    コーヒーサーバー装置（飲料サーバー装置）
２    コーヒー用ディスペンサ（飲料用ディスペンサ）
３    コーヒー貯留部（飲料貯留部）
４    ガス貯留部
５    冷却装置
６    供給パイプ
７    ガス供給パイプ
８    圧力調整部
９    冷却パイプ（供給路）
１０    ディスペンサ本体
１０ａ  空間部
１１    ノズル
１２    切換部
１２ａ  レバー部
１２ｂ  弁体
１２ｃ  カム体
１３    第１接続部
１３ａ  第２接続部
１４    流路
１５    吐出孔
１６    小穴
１７    ディスク
１８    Ｏリング
１９    フィルタ
２０    Ｏリング
【図１】
2018111499.tif 000003
【図２】
2018111499.tif 000004
【図３】
2018111499.tif 000005